(57)【特許請求の範囲】
【請求項１】
金属製のＨ型材の上下に対向する両フランジの外面に木製の梁外面板を付設し、木製柱の上端面を覆う金属製の接続板の下面に金属製の接続縦片を一体的に設けて略Ｔ型となる接続金具を構成し、木製柱の上端面に開口させて上下方向に溝を形成し、接続縦片を溝に挿入して木製柱に水平横方向から打入される接続具にて木製柱に接続金具を接続し、接続板の孔に挿入されたボルトの頭部が木製柱の座ぐり穴に回転不能に挿入され、複合梁の下面側の梁外面板における木製柱の接合部分を切除して接合凹所を形成し、木製柱の上端部を接合凹所に挿入し、Ｈ型材の下面側のフランジの孔に挿入した上記ボルトにナットを螺合して接続金具の接続板をＨ型材の下面側のフランジに連結した複合梁と木製柱との接続構造を備え、複合梁の両端下面に木製柱を接続して成ることを特徴とする門型フレーム。
【請求項２】
木製柱の略Ｔ型の接続金具の接続板の一部において複合梁を接続し、接続板の残りの部分において上記複合梁とは直交する複合梁を接続して成ることを特徴とする請求項１記載の門型フレーム。
【請求項３】
上階の木製柱の下端面を覆う金属製の接続板の上面に金属製の接続縦片を一体的に設けて略逆Ｔ型となる接続金具を構成し、木製柱の下端面に開口させて上下方向に溝を形成し、接続縦片を溝に挿入して木製柱に水平横方向から打入される接続具にて木製柱に接続金具を接続し、下階における複合梁及び複合梁とは直交する複合梁の上面の梁外面板における木製柱の接合部分を切除して接合凹所を形成し、木製柱の下端部を接合凹所に挿入して接続金具の接続板の一部において複合梁を接続し、接続板の残りの部分において直交する複合梁を接続して成ることを特徴とする請求項１記載の門型フレーム。
【発明の詳細な説明】
【０００１】
【発明の属する技術分野】
本発明は、門型フレームに関し、詳しくは、木製外観の梁と木製柱との接続強度を高めて耐荷重性を高め、結果として門型フレームのスパンを広げて広幅の建造物を木製外観で構築しようとする技術に係るものである。
【０００２】
【従来の技術】
従来、例えば３階建で階下にガレージをビルトインタイプで形成する建物においては間口が相当に広くなるのであり、重量鉄骨工法のようなラーメン躯体を用いなければならず、基礎が大掛かりになり、コストが高くなる等という問題があった。
【０００３】
ところで、木製柱を梁にて接続する門型フレーム形態の場合には、強度を高め難く、間口を広くし難いものとなり、筋交い等の斜め梁を多用し、外観が低下するものである。
【０００４】
【発明が解決しようとする課題】
本発明はこのような問題に鑑みてなされたものであり、木製外観の梁と木製柱との接続強度を筋交いなどを使用しないで高めて耐荷重性を高め、結果として門型フレームのスパンを広げて広幅の建造物を木製外観で整然と構築することができる門型フレームを提供することを課題とするものである。
【０００５】
【課題を解決するための手段】
請求項１においては、金属製のＨ型材１の上下に対向する両フランジ２、２の外面に木製の梁外面板３を付設し、木製柱５の上端面を覆う金属製の接続板７の下面に金属製の接続縦片８を一体的に設けて略Ｔ型となる接続金具９を構成し、木製柱５の上端面に開口させて上下方向に溝６を形成し、接続縦片８を溝６に挿入して木製柱５に水平横方向から打入される接続具１０にて木製柱５に接続金具９を接続し、接続板７の孔に挿入されたボルト１４の頭部が木製柱５の座ぐり穴１５に回転不能に挿入され、複合梁４の下面側の梁外面板３における木製柱５の接合部分を切除して接合凹所１１を形成し、木製柱５の上端部を接合凹所１１に挿入し、Ｈ型材１の下面側のフランジ２の孔に挿入した上記ボルト１４にナット１６を螺合して接続金具９の接続板７をＨ型材の下面側のフランジ２に連結した複合梁４と木製柱５との接続構造を備え、複合梁４の両端下面に木製柱５、５を接続して成ることを特徴とするものである。このような構成によれば、複合梁４の金属製のＨ型材１と木製柱５に取り付けた接続金具９とを連結具１２で連結することで複合梁４と木製柱５との接続強度を大幅に高めることができ、筋交いなどを要することなく木製柱５、５の長いスパン間に複合梁４を接続する門型フレーム１３を得ることができ、複合梁４及び木製柱５において木製外観で釘打ちなどが可能であるという良さを活かしながら、間口の広い建物をコストを抑えて容易に構築することができる。
【０００６】
請求項２においては、木製柱５の略Ｔ型の接続金具９の接続板７の一部７ａにおいて複合梁４を接続し、接続板７の残りの部分７ｂにおいて上記複合梁４とは直交する複合梁４Ａを接続していることを特徴とするものである。このような構成によれば、複合梁４とは直交する複合梁４Ａにおいて並置する門型フレーム１３、１３を強度を高めて接続することができ、一層、容易に間口の広い建物を構築することができる。
【０００７】
請求項３においては、上階の木製柱５の下端面を覆う金属製の接続板７の上面に金属製の接続縦片８を一体的に設けて略逆Ｔ型となる接続金具９Ａを構成し、木製柱５の下端面に開口させて上下方向に溝６を形成し、接続縦片８を溝６に挿入して木製柱５に水平横方向から打入される接続具１０にて木製柱５に接続金具９Ａを接続し、下階における複合梁４及び複合梁４とは直交する複合梁４Ａの上面の梁外面板３、３における木製柱５の接合部分を切除して接合凹所１１Ａを形成し、木製柱５の下端部を接合凹所１１Ａに挿入して接続金具９Ａの接続板７の一部７ａにおいて複合梁４を接続し、接続板７Ａの残りの部分７ｂにおいて直交する複合梁４Ａを接続していることを特徴とするものである。このような構成によれば、間口の広い二階建及び三階建等の建物の構築も同様に容易におこなうことができる。
【０００８】
【発明の実施の形態】
以下、本発明の実施の形態を説明する。図１は分解斜視図である。図２は門型フレーム１３の正面図である。図５は軸組を示す斜視図である。図１１は門型フレーム１３の設置位置を示す説明図である。
【０００９】
本発明における門型フレーム１３は、木製柱５、５間に金属製のＨ型材１の上下に対向する両フランジ２、２の外面に木製の梁外面板３を付設した複合梁４を架設して構成したものであり、木製外観の複合梁４と木製柱５との接続強度を筋交いなどを使用しないで高めて耐荷重性を高め、結果として門型フレーム１３のスパンを広げて広幅の建造物を木製外観で整然と構築するものである。以下、詳述する。
【００１０】
木製柱５の上端面を覆う金属製の接続板７の下面に金属製の接続縦片８を一体的に設けて略Ｔ型となる接続金具９を形成している。木製柱５の上端面に開口させて上下方向に溝６を形成している。接続縦片８を溝６に挿入して木製柱５に水平横方向から打入されるピンのような接続具１０にて木製柱５に接続金具９を接続している。    複合梁４の下面側の梁外面板３における木製柱５の接合部分を切除して接合凹所１１を形成している。木製柱５の上端部を接合凹所１１に挿入して接続金具９の接続板７をＨ型材１の下面側のフランジ２にボルト・ナットのような連結具１２にて連結するのである。この場合、ボルト１４の頭部は木製柱５の座ぐり穴１５に回転不能に挿入され、ナット１６がワッシャ及びスプリングワッシャを介して螺合されるものである。
【００１１】
このような門型フレーム１３は図５及び図１１に示すように、下階び上階に配設するのであり、下階には例えば、ガレージ１７、上階にはリビング１８、キッチン１９及び狭幅とした門型フレーム１３を使用する子供室２０等が構築されるものである。
【００１２】
このような構成によれば、複合梁４の金属製のＨ型材１と木製柱５に取り付けた接続金具９とを連結具１２で連結することで複合梁４と木製柱５との接続強度を大幅に高めることができるのであり、筋交いなどを要することなく木製柱５、５の長いスパン間に複合梁４を接続する門型フレーム１３を得ることができるのである。しかして、複合梁４及び木製柱５において木製外観で釘打ちなどが可能であるという良さを活かしながら、間口の広い建物をコストを抑えて容易に構築することができるものである。
【００１３】
図９は下階（一階）の門型フレーム１３を示し、門型フレーム１３の複合梁４に対して直交する複合梁４Ａを木製柱５にて支持している。
【００１４】
即ち、同図（ｂ）（ｃ）に示すように、木製柱５の略Ｔ型の接続金具９の接続板７の一部７ａにおいて複合梁４を上述のように接続し、又、接続板７の残りの部分７ｂにおいて上記複合梁４とは直交する複合梁４Ａを上述のように接続するのである。
【００１５】
このような構成によれば、複合梁４とは直交する複合梁４Ａにおいて並置する門型フレーム１３、１３を強度を高めて接続することができ、一層、容易に間口の広い建物を構築することができるものである。
【００１６】
この場合、図６（ｂ）に示すように、接続金具９は接続縦片８を二枚備えるものであってよく、断面長方形の木製柱５に有効となるものである。図１０（ｂ）は他の実施の形態の概略正面図である。
【００１７】
図１０は上階（二階）の門型フレーム１３を示し、木製柱５、５の上端に複合梁４を架設する構成は上述と同様であり、以下、木製柱５の下端部の接続構造を詳述する。
【００１８】
上階の木製柱５の下端面を覆う金属製の接続板７の上面に金属製の接続縦片８を一体的に設けて略逆Ｔ型となる接続金具９Ａ（接続金具９を上下反転したもの）を構成する。木製柱５の下端面に開口させて上下方向に溝６を形成する。接続縦片８を溝６に挿入して木製柱５に水平横方向から打入される接続具１０にて木製柱５に接続金具９Ａを接続する。下階における複合梁４及び複合梁４とは直交する複合梁４Ａの上面の梁外面板３、３における木製柱５の接合部分を切除して接合凹所１１Ａを形成する。木製柱５の下端部を接合凹所１１Ａに挿入して接続金具９Ａの接続板７の一部７ａにおいて複合梁４を接続する。接続板７Ａの残りの部分７ｂにおいて直交する複合梁４Ａを接続する。
【００１９】
この場合、図６（ａ）に示すように、接続金具９Ａは接続縦片８を二枚備えるものであってよく、断面長方形の木製柱５に有効となるものである。
【００２０】
図４及び図８は門型フレーム１３と基礎２１との接続構造を示し、接続金具９Ａの接続板７に接続縦片８とは反対側にスペーサ片２２を溶接して垂下し、スペーサ片２２の両端に側片２３を溶接し、スペーサ片２２及び側片２３にベース片２４を溶接している。ベース片２４の通孔に基礎２１からのアンカーボルト２５を挿通してダブルナット２６にて接続したものである。
【００２１】
このように、木製柱５の接続金具９にスペーサ片２２、側片２３及びベース片２４を介してアンカーボルト２５を接続することで、木製柱５の支持強度を高め、木製柱５の引き抜き、及び曲げ強度に充分に対向できるものである。
【００２２】
【発明の効果】
請求項１においては、金属製のＨ型材の上下に対向する両フランジの外面に木製の梁外面板を付設し、木製柱の上端面を覆う金属製の接続板の下面に金属製の接続縦片を一体的に設けて略Ｔ型となる接続金具を構成し、木製柱の上端面に開口させて上下方向に溝を形成し、接続縦片を溝に挿入して木製柱に水平横方向から打入される接続具にて木製柱に接続金具を接続し、接続板の孔に挿入されたボルトの頭部が木製柱の座ぐり穴に回転不能に挿入され、複合梁の下面側の梁外面板における木製柱の接合部分を切除して接合凹所を形成し、木製柱の上端部を接合凹所に挿入し、Ｈ型材の下面側のフランジの孔に挿入した上記ボルトにナットを螺合して接続金具の接続板をＨ型材の下面側のフランジに連結した複合梁と木製柱との接続構造を備え、複合梁の両端下面に木製柱を接続した門型フレームであるから、複合梁の金属製のＨ型材と木製柱に取り付けた接続金具とを連結具で連結することで複合梁と木製柱との接続強度を大幅に高めることができ、筋交いなどを要することなく木製柱の長いスパン間に複合梁を接続する門型フレームを得ることができ、複合梁及び木製柱において木製外観で釘打ちなどが可能であるという良さを活かしながら、間口の広い建物をコストを抑えて容易に構築することができるという利点がある。
【００２３】
請求項２においては、請求項１の構成に加えて、木製柱の略Ｔ型の接続金具の接続板の一部において複合梁を接続し、接続板の残りの部分において上記複合梁とは直交する複合梁を接続しているから、請求項１の効果に加えて、複合梁とは直交する複合梁において並置する門型フレームを強度を高めて接続することができ、一層、容易に間口の広い建物を構築することができるという利点がある。
【００２４】
請求項３においては、請求項１の構成に加えて、上階の木製柱の下端面を覆う金属製の接続板の上面に金属製の接続縦片を一体的に設けて略逆Ｔ型となる接続金具を構成し、木製柱の下端面に開口させて上下方向に溝を形成し、接続縦片を溝に挿入して木製柱に水平横方向から打入される接続具にて木製柱に接続金具を接続し、下階における複合梁及び複合梁とは直交する複合梁の上面の梁外面板における木製柱の接合部分を切除して接合凹所を形成し、木製柱の下端部を接合凹所に挿入して接続金具の接続板の一部において複合梁を接続し、接続板の残りの部分において直交する複合梁を接続しているから、請求項１の効果に加えて、間口の広い二階建及び三階建等の建物の構築も同様に容易におこなうことができるという利点がある。
【図面の簡単な説明】
【図１】  本発明の実施の一形態の分解斜視図である。
【図２】  同上の門型フレームの正面図である。
【図３】  同上の接続金具を示し、（ａ）は平面図、（ｂ）は正面図、（ｃ）は側面図である。
【図４】  同上の基礎に対する接続金具を示し、（ａ）は正面図、（ｂ）は側面図、（ｃ）は底面図である。
【図５】  同上の軸組を示す斜視図である。
【図６】  図５イ部の拡大斜視図である。
【図７】  図５ロ部の拡大斜視図である。
【図８】  （ａ）は図５ハ部の拡大斜視図、（ｂ）は斜視図である。
【図９】  （ａ）は同上の下階の門型フレームの斜視図、（ｂ）は部分正面図、（ｃ）は接続金具の斜視図である。
【図１０】  （ａ）は同上の上階の門型フレームの斜視図、（ｂ）は他の実施の形態概略正面図である。
【図１１】  同上の門型フレームの設置位置を示す説明図である。
【符号の説明】
１    Ｈ型材
２    フランジ
３    梁外面板
４    複合梁
５    木製柱
６    溝
７    接続板
８    接続縦片
９    接続金具
１０  接続具
１１  接続凹所
１２  接続具
１３  門型フレーム
【図１】
0003661586.tif 000002
【図２】
0003661586.tif 000003
【図３】
0003661586.tif 000004
【図４】
0003661586.tif 000005
【図５】
0003661586.tif 000006
【図６】
0003661586.tif 000007
【図７】
0003661586.tif 000008
【図８】
0003661586.tif 000009
【図９】
0003661586.tif 000010
【図１０】
0003661586.tif 000011
【図１１】
0003661586.tif 000012